(57)【要約】【課題】  本発明に係る腰袋を腰に取り付けた状態のまま、釘，ビス，ネジなどの建築用の止着部材を、直接手で触れずに良好に収納部から排出できる安全性及び作業性に秀れた実用的な収納袋を提供すること。【解決手段】  後部１，左右側部３Ａ，３Ｂ，底部４及び前部２で構成され上方が開口した収納部６を有し、この収納部６の左右側部３Ａ，３Ｂには該左右側部３Ａ，３Ｂの上端から下方所定位置まで至る切離部７が設けられ、この切離部７を切離した際、前記前部２が前方へ傾動するように構成され、前記後部１にはベルトや紐などを挿通させる挿通部８が設けられている収納袋。【選択図】      図２
2005343480.tif 000002
【特許請求の範囲】
【請求項１】
釘，ビス，ネジなどの建築用の止着部材を収納する収納袋であって、後部，左右側部，底部及び前部で構成され上方が開口した収納部を有し、この収納部の左右側部には該左右側部の上端から下方所定位置まで至る切離部が設けられ、この切離部を切離した際、前記前部が前方へ傾動するように構成され、前記後部にはベルトや紐などを挿通させる挿通部が設けられていることを特徴とする収納袋。
【請求項２】
請求項１記載の収納袋において、収納部の前側に、該収納部の前部，左右側部，底部及び前部で構成されるもう一つの収納部が設けられ、この左右側部には該左右側部の上端から下方所定位置まで至る切離部が設けられていることを特徴とする収納袋。
【請求項３】
請求項１，２いずれか一項に記載の収納袋において、収納部の前部及び左右側部並びにもう一つの収納部の前部及び左右側部は可撓性を有する部材で構成されていることを特徴とする収納袋。
【請求項４】
請求項１〜３いずれか一項に記載の収納袋において、収納部及びもう一つの収納部の切離部はファスナーであることを特徴とする収納袋。
【発明の詳細な説明】
【技術分野】
【０００１】
本発明は、収納袋に関するものである。
【背景技術】
【０００２】
従来、建築現場における大工などの作業者は、釘や金槌などの工具を収納する収納部を複数備えた収納袋を使用しており、この収納袋は、一般的にベルトや紐を挿通させて腰に取り付けて使用される。
【０００３】
この収納袋は、腰に取り付けて使用するので持ち運ぶ際に手が塞がることがなく、しかも腰に手を伸ばして即座に必要な工具などを取り出すことができる為、作業性及び実用性に秀れる。
【発明の開示】
【発明が解決しようとする課題】
【０００４】
ところで、例えば建築現場などで釘を大量に使う場合、同じサイズの釘を収納袋に大量に収納して釘打ち作業を行っている。このサイズの釘打ちが終了したら、収納袋から前記サイズの残余の釘を全て取り出し、続いて、異なるサイズの釘を収納袋に収納し、同様に釘打ち作業を行っている。
【０００５】
この作業の方が、収納袋に異なるサイズの数種類の釘を収納しての作業よりも作業効率が良好となるからである。
【０００６】
しかし、前述の同じサイズの釘を収納しての作業において、釘を別のサイズの釘と入れ替える為に、収納袋に手を入れて残余の釘を取り出そうとすると不意に指先などを釘で負傷してしまう危険性があり、また、開口部を下方に向けて釘を排出しようとすると、収納袋を腰から取り外して釘を排出し、再び収納袋を腰に取り付けなくてはならず、それだけ時間がかかり作業性が悪くなると共に、釘以外の例えば工具までも一緒に落としてしまうという問題があった。
【０００７】
この問題を解決する方法として、、例えば収納袋に同じサイズの釘を大量に収納して釘打ち作業を行い、続いて別のサイズの釘を打つ作業にかかる際に、残余の釘を収納袋から取り出さずに、この残余の釘の上に、別のサイズの釘を大量に積み重ねて収納する方法もあるが、作業終了後に、結局は異なるサイズが混入した釘を収納袋から全て取り出し、この釘をサイズ別に分別しなければならず、決して良好な方法とは言えない。
【０００８】
従って、腰に付けたまま、釘などの収納物に手を触れることなく安全且つ簡単に取り出すことができる秀れた収納袋が望まれている。
【０００９】
本発明は、上記したような問題点に鑑み完成したものであって、釘や金槌など工具の持ち運びに適し、収納物の取り出しや収納も良好に行うことができるだけでなく、腰に取り付けた状態のまま、収納部に収納した釘などの収納物を、直接手で触れることなく、安全且つ容易に該収納部内から排出することができ、しかも、この収納物を収納部内から排出する際、目的の排出箇所に正確に排出することができ、さらに、収納部を切離することで、該収納部内の収納物を取り出して確認しなくても収納部内に収納された収納物を視認し必要な収納物を素早く見つけ取り出すことができる、実用性に秀れた画期的な収納袋を提供することを課題とする。
【課題を解決するための手段】
【００１０】
添付図面を参照して本発明の要旨を説明する。
【００１１】
釘，ビス，ネジなどの建築用の止着部材５を収納する収納袋であって、後部１，左右側部３Ａ，３Ｂ，底部４及び前部２で構成され上方が開口した収納部６を有し、この収納部６の左右側部３Ａ，３Ｂには該左右側部３Ａ，３Ｂの上端から下方所定位置まで至る切離部７が設けられ、この切離部７を切離した際、前記前部２が前方へ傾動するように構成され、前記後部１にはベルトや紐などを挿通させる挿通部８が設けられていることを特徴とする収納袋に係るものである。
【００１２】
また、請求項１記載の収納袋において、収納部６の前側に、該収納部６の前部２，左右側部９Ａ，９Ｂ，底部10及び前部11で構成されるもう一つの収納部12が設けられ、この左右側部９Ａ，９Ｂには該左右側部９Ａ，９Ｂの上端から下方所定位置まで至る切離部13が設けられていることを特徴とする収納袋に係るものである。
【００１３】
また、請求項１，２いずれか一項に記載の収納袋において、収納部６の前部２及び左右側部３Ａ，３Ｂ並びにもう一つの収納部12の前部11及び左右側部９Ａ，９Ｂは可撓性を有する部材で構成されていることを特徴とする収納袋に係るものである。
【００１４】
また、請求項１〜３いずれか一項に記載の収納袋において、収納部６及びもう一つの収納部12の切離部７，13はファスナー７，13であることを特徴とする収納袋に係るものである。
【発明の効果】
【００１５】
本発明は上述のように構成したから、収納部に設けた切離部を切離することで、該収納部を大きく開口させ、この収納部内の収納物を、収納袋を腰に取り付けた状態のまま良好に取り出すことができ、よって、作業性に秀れ、また、直接手で触れることなく該収納部内から収納物を容易に取り出すことができるから安全性に秀れ、また、収納部を切離することで収納部内の収納物を視認することができ、よって、素早く必要な収納物を見つけることができるから作業性に秀れるなど、実用性に秀れた効果を発揮し、画期的で商品価値の高い収納袋となる。
【発明を実施するための最良の形態】
【００１６】
好適と考える本発明の実施形態を、図面に基づいて本発明の作用を示して簡単に説明する。
【００１７】
後部１，左右側部３，３，底部４及び前部２で構成される収納部６に釘，ビス，ネジなどの建築用の止着部材５を収納して挿通部８により腰に取り付ける。
【００１８】
前記収納部６内の止着部材５を取り出そうとする際、左右側部３，３の両切離部７を切離すると、該切離部７は該左右側部３，３の上端から下方所定位置まで至る構成であり、且つ切離した際、前記前部２が前方へ傾動する構成であるから、例えば、図２に図示したようにこの前部２の内側面を滑らせることで収納部６内の止着部材５を一気に排出することができる。
【実施例】
【００１９】
本発明の具体的な実施例について図１，２に基づいて説明する。
【００２０】
本実施例は、釘，ビス，ネジなどの建築用の止着部材５を収納する収納袋であって、後部１，左右側部３Ａ，３Ｂ，底部４及び前部２で構成され上方が開口した収納部６を有し、この収納部６の左右側部３Ａ，３Ｂには該左右側部３Ａ，３Ｂの上端から下方所定位置まで至る切離部７が設けられ、この切離部７を切離した際、前記前部２が前方へ傾動するように構成され、前記後部１にはベルトや紐などを挿通させる挿通部８が設けられているものである。
【００２１】
また、収納部６の前側には、該収納部６の前部２，左右側部９Ａ，９Ｂ，底部10及び前部11で構成されるもう一つの収納部12が設けられ、この左右側部９Ａ，９Ｂには該左右側部９Ａ，９Ｂの上端から下方所定位置まで至る切離部13が設けられている。
【００２２】
従って、本実施例では、収納箇所が二か所設けられ、収納部６に金槌などの大物工具を収納し、もう一つの収納部12に止着部材５を収納したりすることもできる。
【００２３】
収納部６は、図１に図示したように、適宜な可撓性を有する素材で形成したものであり、後部１，左右側部３Ａ，３Ｂ，底部４及び前部２で構成される方形体形状であって、上部が開口した袋状の構成である。
【００２４】
また、収納部６を構成する後部１は、その上部を内側に撓折し上端を表面に止金具（図示省略）で固定して挿通部８が設けられており、この挿通部８の外部表面には、耐用性を上げるために合成革製の補強材（図示省略）が貼設されている。
【００２５】
また、収納部６を腰に取り付けた際に、後部１は作業者の体に接触するが、該後部１は前記の通り可撓性を有する為、作業者の腰に良好にフィットし、作業者に不快感を与えない。
【００２６】
また、収納部６は、その左右側部３Ａ，３Ｂに切離部７が設けられている。
【００２７】
また、この切離部７は収納部６の左右側部３Ａ，３Ｂの上端から可及的下方の位置まで至るように設けており、更に、該切離部７の下端近傍は可撓性を有するから（前記の通り収納部６が可撓性を有する素材で形成されているから）、該切離部７を切離した際、収納部６の前部２は下方まで良好に前方傾動することになる。
【００２８】
更に具体的には、前記切離部７は、図１に図示したように前記収納部６の左右側部３Ａ，３Ｂを左右に略二等分する位置に該左右側部３Ａ，３Ｂの上端から下端近傍まで至るように設けたファスナー７であり、このファスナー７は、一対のファスナーテープｃと、このファスナーテープｃの端縁に複数並設された務歯ａと、この務歯ａを噛合若しくは離間させるフラストｂとから成る公知のもので、上端部に上止具（図字省略）を設け下端部に下止具（図示省略）を設け、この上止具から下止具に向けて前記フラストｂをスライドさせると、前記務歯ａが上端部から下端部に向けて徐々に離間し、前記ファスナーテープｃが上方から下方に徐々に切離し、よって、左右側部３Ａ，３Ｂも上端から下方に徐々に切離する。
【００２９】
更に、収納部６の前部２は可撓性を有するから、前方に傾動させた際、湾曲させることで中央を導出凹部とすることができ、これにより収納部６内の収納物を良好に排出できることになる。
【００３０】
もう一つの収納部12は、図１に図示したように、適宜な可撓性を有する素材で形成したものであり、前記収納部６の前部２，左右側部９Ａ，９Ｂ，底部10及び前部11で構成される方形体形状であって、上部が開口した袋状の構成である。
【００３１】
もう一つの収納部12は、前記収納部６の前部２の前側に一体成形されているので、前記収納部６の前部２を前方に傾動させると、該もう一つの収納部12も該前部２と一体に前方に傾動するように構成されている。
【００３２】
また、もう一つの収納部12は、その左右側部９Ａ，９Ｂに切離部13が設けられている。
【００３３】
また、この切離部13はもう一つの収納部12の左右側部９Ａ，９Ｂの上端から可及的下方の位置まで至るように設けており、更に、該切離部13の下端近傍は可撓性を有するから（前記の通り収納部12が可撓性を有する素材で形成されているから）、該切離部13を切離した際、収納部12の前部11は下方まで良好に前方傾動することになる。
【００３４】
更に具体的には、前記切離部13は、図１に図示したように前記収納部12の左右側部９Ａ，９Ｂを左右に略二等分する位置に該左右側部９Ａ，９Ｂの上端から下端近傍まで至るように設けたファスナー13であり、このファスナー13は前記収納部６に設けた切離部７と同一の構成である。
【００３５】
更に、もう一つの収納部12の前部11は可撓性を有するから、前方に傾動させた際、湾曲させることで中央を導出凹部とすることができ、これによりもう一つの収納部12内の収納物を良好に排出できることになる。
【００３６】
尚、収納部６若しくはもう一つの収納部12の前部２，11の内側面は、摩擦抵抗が少なくなるように構成しても良い。この場合は、収納物を排出する際、該収納物が該前部２，11の内側面をスムーズに滑落するから、一層良好に排出できることになる。
【００３７】
本実施例は、上述のように構成したから、収納部６に金槌などの大物工具を収納し、もう一つの収納部12に釘などの建築用の止着部材５を収納し、前記挿通部８にベルトや紐などを挿通させて腰に取り付けて釘打ち作業を行い、前記止着部材５を前記もう一つの収納部12から取り出す際には、該収納部12の左右側部９Ａ，９Ｂに設けたファスナー13（切離部13）のフラストｂを下方にスライドさせて左右側部９Ａ，９Ｂを切離し、該収納部12の前部11を前方傾動させ、該前部11を中央が導出凹部となるように湾曲させ、この導出凹部としての前部11の内側面を滑落させて前記止着部材５を下方に一気に排出できることとなる。
【００３８】
また、収納部６の切離部７を切離させると、該収納部６の前部２が前方に傾動し、該収納部６内の収納物を視認することができることとなる。
【００３９】
よって、本実施例によれば、手を使わずに釘，ビス，ネジなどの建築用の止着部材５を良孝に持ち運ぶことができ、また、姿勢を変えなくとも（屈んだりせずとも）、単に手を腰に延ばすだけで収納物を必要に応じて取り出すことができ、良好に止着部材５を収納し持ち運べるのはもちろん、本実施例に係る収納袋を腰に取り付けた状態のまま、該止着部材５を下方に一気に排出でき、作業性に秀れ、しかも、直接手で触れずに排出することとなるので、排出時において止着部材５によって指などを負傷する心配がなく、安全性に秀れ、しかも、収納物を視認して目的の収納物を早く見つけ取り出すことができ、作業性に秀れるなど、実用性に秀れた画期的で商品価値の高い収納袋である。
【００４０】
更に、収納箇所を二つ設けた構成だから、例えば収納部６に金槌などの大物工具を収納し、もう一つの収納部12に釘，ビス，ネジなどの止着部材５を収納して、良好に持ち運ぶことができ、作業時には前記収納部６内の大物工具を用いて前記もう一つの収納部12から止着部材５を取り出して止着作業を行うことができるなど、一層作業性に秀れるものである。
【００４１】
また、止着部材５を収納した前記もう一つの収納部12から、該止着部材５を排出する際に、該もう一つの収納部12の前部11を湾曲させて該前部11の中央を導出凹部とすることができるので、止着部材５を多方向にバラバラと散らばって排出させてしまうことなく、該導出凹部によって止着部材５を任意の排出箇所に的確に排出させることができ、例えば図２に図示するように、収納箱14内に排出するなどして、排出後の該止着部材５の整理や収納を容易にし、一層作業性に秀れるものである。
【００４２】
また、本発明は、本実施例に限られるものではなく、各構成要件の具体的構成は適宜設計し得るものである。
【図面の簡単な説明】
【００４３】
【図１】本実施例に係る収納袋の概略斜視図である。
【図２】本実施例に係る収納袋の使用形態の概略斜視図である。
【符号の説明】
【００４４】
１    後部
２    前部
３Ａ  左側部
３Ｂ  右側部
４    底部
５    止着部材
６    収納部
７    切離部，ファスナー
８    挿通部
９Ａ  左側部
９Ｂ  右側部
10    底部
11    前部
12    もう一つの収納部
13    切離部，ファスナー
【図１】
2005343480.tif 000003
【図２】
2005343480.tif 000004